【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
嫌気性汚泥が粒状化してなるグラニュール汚泥を収納し、導入された有機性廃水を上向きに流動させ前記グラニュール汚泥と接触させることによって前記有機性廃水を嫌気性処理し、上部の分離部により前記グラニュール汚泥を分離して処理水を排出する嫌気性処理槽と、
前記分離部に導入される前の位置で、前記嫌気性処理槽から前記グラニュール汚泥を外に抜き出すための汚泥抜出手段と、を備え、
前記汚泥抜出手段で抜き出されたグラニュール汚泥に衝撃を与えて前記嫌気性処理槽に返送することを特徴とする嫌気性処理システム。
【請求項２】
前記汚泥抜出手段で抜き出されたグラニュール汚泥が落下して導入される汚泥槽と、
前記汚泥槽の下部に溜まったグラニュール汚泥を前記嫌気性処理槽に返送する返送手段と、を更に備え、
前記汚泥槽は前記汚泥抜出手段から前記グラニュール汚泥と一緒に導入された水を溜める水溜部を有し、
前記汚泥抜出手段から前記汚泥槽へ汚泥を導入する導入口は、前記水溜部の液面の上方に離間して位置することを特徴とする請求項１に記載の嫌気性処理システム。
【請求項３】
前記汚泥槽は前記汚泥抜出手段から前記グラニュール汚泥と一緒に導入された水を溜める水溜部を有し、
前記汚泥抜出手段から前記汚泥槽へ汚泥を導入する導入口は、前記水溜部の液面下に位置することを特徴とする請求項２に記載の嫌気性処理システム。
【請求項４】
前記汚泥抜出手段で抜き出されたグラニュール汚泥が前記嫌気性処理槽との水頭差で落下して前記汚泥槽に導入されることを特徴とする請求項２又は３に記載の嫌気性処理システム。
【請求項５】
前記汚泥抜出手段はポンプによりグラニュール汚泥を抜き出すことを特徴とする請求項１〜３のいずれか一項に記載の嫌気性処理システム。
【請求項６】
前記汚泥抜出手段は、前記嫌気性処理槽の底部からの高さが異なる複数の取水口を有することを特徴とする請求項１〜３のいずれか一項に記載の嫌気性処理システム。
【請求項７】
前記汚泥抜出手段は、前記嫌気性処理槽から前記グラニュール汚泥を吸入する取水口を有し、
前記取水口は、前記分離部の下端と、前記嫌気性処理槽の底から２ｍ上方の位置と、の間の高さに設けられることを特徴とする請求項１〜３のいずれか一項に記載の嫌気性処理システム。
【請求項８】
前記返送手段はポンプを備えることを特徴とする請求項２又は３に記載の嫌気性処理システム。
【請求項９】
嫌気性汚泥が粒状化してなるグラニュール汚泥を収納した嫌気性処理槽で、導入された有機性廃水を上向きに流動させ前記グラニュール汚泥と接触させることによって前記有機性廃水を嫌気性処理し、前記嫌気性処理槽の上部の分離部により前記グラニュール汚泥を分離して処理水を排出する廃水処理工程と、
前記分離部に導入される前の位置で、前記嫌気性処理槽からグラニュール汚泥を外に抜き出す汚泥抜出工程と、を備え、
前記汚泥抜出工程で抜き出されたグラニュール汚泥に衝撃を与えて前記嫌気性処理槽に返送することを特徴とする嫌気性処理方法。
【請求項１０】
前記汚泥抜出工程で抜き出されたグラニュール汚泥が落下して汚泥槽に導入される汚泥落下工程と、
前記汚泥槽の底部に溜まったグラニュール汚泥を前記嫌気性処理槽に返送する返送工程と、をさらに備え、
前記汚泥抜出工程、前記汚泥落下工程及び前記返送工程は、前記廃水処理工程と並行して実行されることを特徴とする請求項９に記載の嫌気性処理方法。

【手続補正２】
【補正対象書類名】明細書
【補正対象項目名】０００６
【補正方法】変更
【補正の内容】
【０００６】
本発明の嫌気性（anaerobic, anoxia）処理システムは、嫌気性汚泥が粒状化してなるグラニュール汚泥を収納し、導入された有機性廃水を上向きに流動させ前記グラニュール汚泥と接触させることによって前記有機性廃水を嫌気性処理し、上部の分離部により前記グラニュール汚泥を分離して処理水を排出する嫌気性処理槽と、前記分離部に導入される前の位置で、前記嫌気性処理槽から前記グラニュール汚泥を外に抜き出すための汚泥抜出手段と、前記汚泥抜出手段で抜き出されたグラニュール汚泥に衝撃を与えて前記嫌気性処理槽に返送することを特徴とする。
【手続補正３】
【補正対象書類名】明細書
【補正対象項目名】０００７
【補正方法】変更
【補正の内容】
【０００７】
この嫌気性処理システムでは、嫌気性処理槽の分離部に導入される前の位置で、嫌気性処理槽からグラニュール汚泥が外に抜き出され、衝撃が与えられる。ここで、グラニュール汚泥に衝撃が与えられることで、グラニュール汚泥の周りに発生した糸状菌等が剥離される。即ち、糸状菌のグラニュール汚泥への付着力は弱いため、衝撃により容易にグラニュール汚泥から剥離する。以上のように、糸状菌が付着したグラニュール汚泥から、糸状菌を剥離する処理を連続的に行うことができるので、運転を継続しながら糸状菌バルキングを解消することができる。

【手続補正４】
【補正対象書類名】明細書
【補正対象項目名】０００８
【補正方法】変更
【補正の内容】
【０００８】
また、前記汚泥抜出手段で抜き出されたグラニュール汚泥が落下して導入される汚泥槽と、前記汚泥槽の下部に溜まったグラニュール汚泥を前記嫌気性処理槽に返送する返送手段と、を更に備え、前記汚泥槽は前記汚泥抜出手段から前記グラニュール汚泥と一緒に導入された水を溜める水溜部を有し、前記汚泥抜出手段から前記汚泥槽へ汚泥を導入する導入口は、前記水溜部の液面の上方に離間して位置することとしてもよい。この場合、落下の衝撃により容易にグラニュール汚泥から剥離し、糸状菌が剥離されたグラニュール汚泥は汚泥槽の下部に沈降し返送手段によって嫌気性処理槽へ返送される。更に、嫌気性処理槽から抜き出されたグラニュール汚泥は導入口から水溜部の液面まで落下し液面に叩きつけられるので、グラニュール汚泥に付着した糸状菌が効率よく剥離される。
【手続補正５】
【補正対象書類名】明細書
【補正対象項目名】００１５
【補正方法】変更
【補正の内容】
【００１５】
本発明は嫌気性処理方法を提供し、嫌気性汚泥が粒状化してなるグラニュール汚泥を収納した嫌気性処理槽で、導入された有機性廃水を上向きに流動させ前記グラニュール汚泥と接触させることによって前記有機性廃水を嫌気性処理し、前記嫌気性処理槽の上部の分離部により前記グラニュール汚泥を分離して処理水を排出する廃水処理工程と、前記分離部に導入される前の位置で、前記嫌気性処理槽からグラニュール汚泥を外に抜き出す汚泥抜出工程と、前記汚泥抜出工程で抜き出されたグラニュール汚泥に衝撃を与えて前記嫌気性処理槽に返送することを特徴とする。

【手続補正６】
【補正対象書類名】明細書
【補正対象項目名】００１６
【補正方法】変更
【補正の内容】
【００１６】
この嫌気性処理方法は、汚泥抜出工程で抜き出されたグラニュール汚泥に衝撃を与えて前記嫌気性処理槽に返送する。グラニュール汚泥に衝撃を与えて嫌気性処理槽に返送することで、グラニュール汚泥の周りに発生した糸状菌等が剥離される。即ち、糸状菌のグラニュール汚泥への付着力は弱いため、衝撃により容易にグラニュール汚泥から剥離し、嫌気性処理槽へ返送される。以上のように、糸状菌が付着したグラニュール汚泥から、糸状菌を剥離する処理を連続的に行うことができるので、嫌気性処理システムの運転を継続しながら糸状菌バルキングを解消することができる。

【手続補正７】
【補正対象書類名】明細書
【補正対象項目名】００１７
【補正方法】変更
【補正の内容】
【００１７】
また、前記汚泥抜出工程で抜き出されたグラニュール汚泥が落下して汚泥槽に導入される汚泥落下工程と、前記汚泥槽の底部に溜まったグラニュール汚泥を前記嫌気性処理槽に返送する返送工程と、を更に備え、前記汚泥抜出工程、前記汚泥落下工程及び前記返送工程は、前記廃水処理工程と並行して実行されることとしてもよい。この場合、落下の衝撃により容易にグラニュール汚泥から剥離し、糸状菌が剥離されたグラニュール汚泥は汚泥槽の下部に沈降し返送工程によって嫌気性処理槽へ返送される。更に、嫌気性処理システムの運転を継続しながら、糸状菌が付着したグラニュール汚泥から糸状菌を剥離する処理を連続的に行うことができる。